(57)【要約】【課題】  外力に対する強度を改善させた光学装置を提供する。【解決手段】  オスヘリコイド１０１の山部１０１ａに光軸からの距離が短い領域１０１ｂを設け、メスヘリコイド２０１の谷部２０１ａに光軸からの距離が短い領域２０１ｂを設けることとする。【選択図】  図１  
2005172864.tif 000002
【特許請求の範囲】
【請求項１】
撮影光学系を構成する筒状部材であって、外壁にオスヘリコイドを備える第一の筒と、内壁にメスヘリコイドを備える第二の筒とが相対回転により光軸方向に相対移動可能に構成されており、該ヘリコイドが異なるリードにより構成される複合ヘリコイドを備えるものにおいて、該オスヘリコイド山部と該メスヘリコイド谷部の一部に光軸からの距離が異なる領域を設けることを特徴とする光学装置。
【請求項２】
請求項１記載の光学装置において、光軸からの距離が短い領域は、光軸からの距離が長い領域よりも狭い領域であることを特徴とする光学装置。
【請求項３】
請求項１記載の光学装置において、前記メスヘリコイドに設けられた光軸からの距離が異なる領域は、リードの大きいヘリコイド領域にのみ設けられていることを特徴とする光学装置。
【請求項４】
請求項３記載の光学装置において、前記メスヘリコイドに設けられた光軸からの距離が異なる領域は、光軸からの距離が短い領域であり、前記メスヘリコイドの結像面側の内壁に連続して設けられていることを特徴とする光学装置。
【発明の詳細な説明】
【技術分野】
【０００１】
本発明は、カメラ等に用いられるレンズ鏡筒に関するものであり、さらに詳しくは、いわゆる差動型の光学装置において、外力に対する強度の向上に関するものである。
【背景技術】
【０００２】
特許文献１には、ヘリコイドとカム溝とを鏡筒の肉厚を厚くすることなく、且つ干渉させることなく配置する方法として、異なるリードにより構成される複合ヘリコイドを設けることが提案され、異なるリードにより構成される複合ヘリコイドを配置することで、撮影領域と非撮影領域とで鏡筒繰り出し速度を変化させている。
【特許文献１】特開２０００−２４９８９１号公報
【発明の開示】
【発明が解決しようとする課題】
【０００３】
しかしながら、上記特許文献１記載の構成では複合ヘリコイドのリード切替位置近傍の撮影待機位置、即ちWIDEポジション撮影待機位置でのヘリコイドの掛量が少なくなり、外力に対する強度が低下するという問題点があり、カム溝と干渉することなくヘリコイドの掛量を増やすためには、リードの大きいヘリコイドのリードを更に大きくし、複合ヘリコイドの変曲点を移動させるか、WIDEポジション撮影待機位置までの回転量を増やす必要がある。
【０００４】
しかし、リードの大きいヘリコイドを更に大きくすると、回転力を光軸方向の駆動力に変換することが困難になる。また、WIDEポジション撮影待機位置までの回転量を増やすと他のヘリコイドやカムに干渉するという問題点が発生する。
【０００５】
本発明は、このような問題を鑑みて為されたものであり、外力に対する強度を改善させた光学装置を提供することを目的としている。
【課題を解決するための手段】
【０００６】
上記課題を解決するために請求項１記載の本発明は、撮影光学系を構成する筒状部材であって、外壁にオスヘリコイドを備える第一の筒と、内壁にメスヘリコイドを備える第二の筒とが相対回転により光軸方向に相対移動可能に構成されており、該ヘリコイドが異なるリードにより構成される複合ヘリコイドを備えるものにおいて、該オスヘリコイド山部と該メスヘリコイド谷部の一部に光軸からの距離が異なる領域を設けることを特徴とする。
【０００７】
また、請求項２は、請求項１記載の光学装置において、光軸からの距離が短い領域は光軸からの距離が長い領域よりも狭い領域であることを特徴としている。
また、請求項３は、請求項１記載の光学装置において、前記メスヘリコイドに設けられた光軸からの距離が異なる領域はリードの大きいヘリコイド領域にのみ設けられていることを特徴としている。
【０００８】
また、請求項４は、請求項３記載の光学装置において、前記メスヘリコイドに設けられた光軸からの距離が異なる領域は光軸からの距離が短い領域であり、前記メスヘリコイドの結像面側の内壁に連続して設けられていることを特徴としている。
【発明の効果】
【０００９】
以上説明したように本発明では、請求項１記載から請求項４記載の本発明を用いると、従来の機構を大きく変えることなく、また型製作費の上昇を抑えつつ、外力に対するヘリコイド機構の強度を上げることが可能となる。
【発明の最良の実施形態】
【００１０】
以下に本発明の実施例について説明する。
【実施例１】
【００１１】
図１、図２は本発明を適用した鏡筒構成部材であり、直進筒１００にオスヘリコイド１０１が設けられ、回転筒２００にメスヘリコイド２０１が設けられている。直進筒１００と回転筒２００の駆動関係を略説する。直進筒１００は回転筒２００の内径側に配置され、オスヘリコイド１０１とメスヘリコイド２０１が係合している。不図示の駆動源より回転筒２００の外周に設けられたギヤ部２０６に回転力が伝達され、回転筒２００が回転駆動される。直進筒１００には不図示の回転規制部材が係合しており、回転不能に支持されている。回転筒２００に設けられたメスヘリコイド２０１が回転筒２００と共に回転することにより、直進通１００に設けられたオスヘリコイド１０１が光軸方向の駆動力を受け、光軸方向に直進筒１００と回転筒２００が相対移動する。
【００１２】
尚本実施例では、回転筒２００の外周にギアを設けた鏡筒としているが本発明はこれに限定されるものではなく任意の形状でよい。
【００１３】
オスヘリコイド１０１の山部１０１ａには光軸からの距離が短い領域１０１ｂが設けられており、メスヘリコイド２０１の谷部２０１ａには光軸からの距離が短い領域２０１ｂが設けられている。
【００１４】
図３は、オスヘリコイド１０１を平面展開したものを外径側から見た図である。
【００１５】
図４はとメスヘリコイド２０１を平面展開したものを内径側から見た図である。
【００１６】
オスヘリコイド１０１はリードの大きい１０３ａ−１面〜１０３ａ−３面とリードの小さい１０１ａ−１面、１０１ａ−２面とからなる複合ヘリコイドである。メスヘリコイド２０１はリードの大きい２０３ａ−１面〜２０３ａ−３面とリードの小さい２０１ａ−１面、２０１ａ−２面とからなる複合ヘリコイドである。メスヘリコイド２０１において、光軸からの距離が短い領域２０１ｂはリードが大きいヘリコイド領域の結像面側の内壁に連続して設けられているのは、後述するように外力に対する受け面として作用させるためである。
【００１７】
鏡筒が繰り出す方向に移動する際には、１０３ａ−２面と２０３ａ−２面、１０３ａ−３面と２０３ａ−３面、１０２ａ−２面と２０２ａ−２面との係合関係により駆動される。鏡筒が繰り込む方向に移動する際には、１０３ａ−１1面と２０３ａ−１面、１０２ａ−１面と２０２ａ−１面との係合関係により駆動される。
【００１８】
図５は沈胴状態におけるオスヘリコイド１０１とメスヘリコイド２０１の係合状態を表している。図６はWIDEポジション撮影待機位置におけるオスヘリコイド１０１とメスヘリコイド２０１の係合状態を表している。オスヘリコイド１０１形状は簡略表示している。２０４はWIDEポジション撮影待機位置を示すものであり、形状ではない。従来、鏡筒回転量を減らすために、沈胴状態からWIDEポジション撮影待機位置への単位回転角度当たりの光軸方向移動量は、撮影領域での単位回転角度当たりの光軸方向移動量よりも大きくする必要がある。そのため、沈胴状態からWIDEポジション撮影待機位置の間の領域ではリードの大きいヘリコイドを用いている。
【００１９】
沈胴状態からWIDEポジション撮影待機位置へ移動する際にはメスヘリコイド２０１が紙面右から左へ移動（実際には回転移動）することでメスヘリコイド２０１の２０３ａ−２面がオスヘリコイド１０１の１０３ａ−２面を、２０３ａ−３面が１０３ａ−３面を紙面上方（被写体側）へ駆動し、複合ヘリコイド変曲点を越えるとメスヘリコイド２０１の２０２ａ−２面がオスヘリコイド１０１の１０２ａ−２面を紙面上方（被写体側）へ駆動する。
【００２０】
WIDEポジション撮影待機位置において、鏡筒への外力は紙面上方（被写体側）から受けることが多いため、オスヘリコイド１０１の１０２ａ−２面、１０２ａ−３面とメスヘリコイド２０１の２０２ａ−２面、２０２ａ−３面とで外力を受け止めることになる。ここで１０２ａ−３面は１０２ａ−２面の中で光軸からの距離が近い領域１０１ｂにより狭くなった領域であり、２０２ａ−３面は２０２ａ−２面の中で光軸からの距離が近い領域２０１ｂにより狭くなった領域である。
【００２１】
図６のWIDEポジション撮影待機位置において、１０２ａ−３面と２０２ａ−２面とが接している領域Ａ１、１０２ａ−２面と２０２ａ−３面とが接している領域Ａ２とが存在する。即ち外力を受け止める領域としてＡ１からＡ２まで備えている。対して図７に従来例を示す。光軸からの距離が短い領域１０１ｂ、２０１ｂがないため、外力を受け止める領域はＡ３となる。外力を受け止めるヘリコイド面積としては、Ａ１＋Ａ２≒Ａ３であるが、外力を受け止めるヘリコイドの長さはＡ１＋Ａ２＞Ａ３となるために外力を受け止めた際の局部的な変形を抑えることが可能となる。
【００２２】
光軸からの距離が短い領域１０１ｂを大きくすると、領域Ａ２が増加するためWIDEポジション撮影待機位置でのヘリコイド掛量が増えるが、オスヘリコイド１０１そのものの強度低下を招き、TELEポジション撮影待機位置での鏡筒への外力に対する強度が低下してしまう。そのため、光軸からの距離が短い領域１０１ｂは光軸からの距離が長い領域よりも狭くしておくことが望ましい。
【００２３】
メスヘリコイド２０１において、リードが小さいヘリコイド終端にはオスヘリコイド１０１の光軸からの距離が短い領域１０１ｂに対応した形状を作成しても良いが、型が複雑になりコスト増加をもたらすため、ヘリコイド１０１が干渉しない形状で有れば任意の形状でよい。
【図面の簡単な説明】
【００２４】
【図１】本発明を適用したオスヘリコイドを備える鏡筒
【図２】本発明を適用したメスヘリコイドを備える鏡筒
【図３】本発明を適用したオスヘリコイド
【図４】本発明を適用したメスヘリコイド
【図５】本発明を適用したヘリコイド係合状態（沈胴状態）
【図６】本発明を適用したヘリコイド係合状態（WIDE待機状態）
【図７】従来技術のヘリコイド係合状態（WIDE待機状態）
【符号の説明】
【００２５】
１００        直進筒
１０１        オスヘリコイド
１０１ａ      オスヘリコイド山部
１０１ｂ      光軸からの距離が短い領域
１０２ａ−１  小リード繰り込み面
１０２ａ−２  小リード繰り出し面
１０２ａ−３  小リード繰り出し面の狭い領域
１０３ａ−１  大リード繰り込み面
１０３ａ−２  大リード繰り出し面
１０３ａ−３  大リード繰り出し面
２００        回転筒
２０１        メスヘリコイド
２０１ａ      メスヘリコイド谷部
２０１ｂ      光軸からの距離が短い領域
２０２ａ−１  小リード繰り込み面
２０２ａ−２  小リード繰り出し面
２０２ａ−３  小リード繰り出し面の狭い領域
２０３ａ−１  大リード繰り込み面
２０３ａ−２  大リード繰り出し面
２０３ａ−３  大リード繰り出し面
２０４        WIDEポジション撮影待機位置
２０５        他の鏡筒部品駆動カム溝
【図１】
2005172864.tif 000003
【図２】
2005172864.tif 000004
【図３】
2005172864.tif 000005
【図４】
2005172864.tif 000006
【図５】
2005172864.tif 000007
【図６】
2005172864.tif 000008
【図７】
2005172864.tif 000009